【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
複数のユーザの各々に関連付けて、健康診断の結果を表す情報を含む当該ユーザの健康状態を表す情報と、生活習慣を表す情報とを記憶する記憶媒体と、
前記記憶された健康状態を表す情報に基づいて、前記複数のユーザの中から健康管理の支援対象となる第１のユーザを選択する第１の選択部と、
前記記憶された健康状態を表す情報と、前記記憶された生活習慣を表す情報とに基づいて、前記複数のユーザの中から、前記選択された第１のユーザにとって目標となる健康状態を有する第２のユーザを選択する第２の選択部と、
前記選択された第２のユーザの生活習慣を表す情報を前記記憶媒体から読み出し、当該読み出された生活習慣を表す情報に基づいて、前記第１のユーザの健康管理を支援するための支援情報を生成する支援情報生成部と、
前記生成された支援情報を出力する情報出力部と
を具備する健康管理支援装置。
【請求項２】
前記ユーザの健康状態を表す情報は、ユーザの属性情報をさらに含み、
前記第２の選択部は、前記属性情報に基づいて、前記第１のユーザと属性が所定の範囲内で一致するユーザを前記第２のユーザの候補として選択する、
請求項１に記載の健康管理支援装置。
【請求項３】
前記ユーザの健康状態を表す情報は、前記健康診断の結果を表す情報を予め定義された判定基準に基づいて複数段階で評価した結果を示す評価情報をさらに含み、
前記第１の選択部は、前記評価情報が予め設定された評価基準に満たないユーザを前記第１のユーザとして選択し、
前記第２の選択部は、前記第１のユーザに対する評価情報を前記複数のユーザに対する評価情報と対比することで、前記複数のユーザの中から前記第２のユーザの候補を選択する、
請求項１または２に記載の健康管理支援装置。
【請求項４】
前記第２の選択部は、前記記憶媒体に記憶された評価情報に基づいて、過去の評価結果が前記第１のユーザの現在の評価結果と同一で、かつ前記過去から現在までの期間に評価結果が前記過去の評価結果より改善しているユーザを前記第２のユーザの候補として選択する、
請求項３に記載の健康管理支援装置。
【請求項５】
前記複数のユーザの各々について、前記記憶されたユーザの生活習慣を表す情報に基づいて当該ユーザの健康状態の維持又は改善への取り組み度合いを示すスコアを計算するスコア計算部を、さらに具備し、
前記第２の選択部は、前記選択された第２のユーザの候補の中から、当該候補について計算された前記スコアに基づいて前記第２のユーザを選択する、
請求項２乃至４のいずれか１項に記載の健康管理支援装置。
【請求項６】
前記第２の選択部は、前記スコアに基づいて、現在のスコアが第１のしきい値以上で、かつ当該現在のスコアの過去のスコアに対する改善量が第２のしきい値以上のユーザを、前記第２のユーザとして選択する、
請求項５に記載の健康管理支援装置。
【請求項７】
前記ユーザの健康状態を表す情報は、健康診断の結果を表す情報と、当該健康診断の結果を表す情報をその検査項目ごとに予め定義された判定基準に基づいて複数段階で評価した結果を示す検査項目別の評価情報と、当該検査項目別の評価情報をもとに決定された総合評価情報とを含み、
前記第１の選択部は、前記総合評価情報が予め設定された総合評価基準に満たないユーザを前記第１のユーザとして選択し、
前記第２の選択部は、前記検査項目別の評価情報に基づいて、特定の検査項目について、過去の評価結果が前記第１のユーザの現在の評価結果と同一でかつ前記過去から現在までの期間に評価結果が前記過去の評価結果より改善しているユーザを、前記第２のユーザの候補として選択する、
請求項１または２に記載の健康管理支援装置。
【請求項８】
前記第１の選択部は、現在の評価情報の判定区分が「要経過観察」と判定されたユーザを支援対象ユーザとして選択し、
前記第２の選択部は、前記選択された支援対象ユーザと性別および年齢層が一致し、過去の評価情報の判定区分が前記選択された支援対象ユーザの現在の判定区分である「要経過観察」と一致し、かつ現在の評価情報の判定区分が「正常」または「ほぼ正常」に改善されているユーザを、目標ユーザとして選択する
請求項１に記載の健康管理支援装置。
【請求項９】
複数のユーザの各々に関連付けて、健康診断の結果を表す情報を含む当該ユーザの健康状態を表す情報および前記ユーザの生活習慣を表す情報をそれぞれ記憶する記憶媒体を備える健康管理支援装置が実行する健康管理支援方法であって、
前記記憶された健康状態を表す情報に基づいて、前記複数のユーザから健康の支援対象となる第１のユーザを選択する過程と、
前記記憶された健康状態を表す情報と、前記記憶された生活習慣を表す情報とに基づいて、前記複数のユーザから、前記選択された第１のユーザにとって目標となる健康状態を有する第２のユーザを選択する過程と、
前記選択された第２のユーザの生活習慣を表す情報を前記記憶媒体から読み出し、当該読み出された生活習慣を表す情報に基づいて前記第１のユーザの健康を支援するための支援情報を生成する過程と、
前記生成された支援情報を出力する過程と
を具備する健康管理支援方法。
【請求項１０】
請求項１乃至８のいずれか１項に記載の健康管理支援装置が具備する各部による処理を、プロセッサに実行させるプログラム。
【手続補正２】
【補正対象書類名】明細書
【補正対象項目名】０００８
【補正方法】変更
【補正の内容】
【０００８】
上記一態様に係る健康管理支援装置において、前記ユーザの健康状態を表す情報は、ユーザの属性情報を含み、前記第２の選択部は、前記属性情報に基づいて、前記第１のユーザと属性が所定の範囲内で一致するユーザを前記第２のユーザの候補として選択するようにしてもよい。
【手続補正３】
【補正対象書類名】明細書
【補正対象項目名】００１７
【補正方法】変更
【補正の内容】
【００１７】
上記構成によれば、検査項目別に、過去の評価結果が支援対象ユーザの現在の評価結果と同一でかつ前記過去から現在までの期間に評価結果が前記過去の評価結果より改善しているユーザが、前記目標ユーザの候補として選択される。このため、支援対象ユーザにとっては、改善が望まれると評価された検査項目についてその後改善した経験を持つ他者ユーザを目標として、自身の健康状態の改善に取り組むことが可能となる。
【手続補正４】
【補正対象書類名】明細書
【補正対象項目名】００５２
【補正方法】変更
【補正の内容】
【００５２】
スコア算出部１３は、上記健康情報データベース２１に記憶された生活習慣情報に基づいて、ユーザごとに健康状態の維持又は改善への取り組み度合いを示す生活習慣スコアを算出する。そして、算出した生活習慣スコアを、ユーザＩＤと関連付けて健康情報データベース２１に記憶させる処理を行う。
【手続補正５】
【補正対象書類名】明細書
【補正対象項目名】０１００
【補正方法】変更
【補正の内容】
【０１００】
（付記２）
複数のユーザの各々に関連付けて当該ユーザの健康状態を表す情報および前記ユーザの生活習慣を表す情報をそれぞれ記憶する記憶媒体を有するメモリと、少なくとも１つのハードウェアプロセッサとを備える健康管理支援装置が実行する健康管理支援方法であって、
前記少なくとも１つのハードウェアプロセッサおよびメモリを用いて、前記記憶された健康状態を表す情報をもとに、前記複数のユーザから健康の支援対象となる第１のユーザを選択する過程と、
前記少なくとも１つのハードウェアプロセッサおよびメモリを用いて、前記記憶された健康状態を表す情報と、前記記憶された生活習慣を表す情報とに基づいて、前記複数のユーザから、前記選択された第１のユーザにとって目標となる健康状態を有する第２のユーザを選択する過程と、
前記少なくとも１つのハードウェアプロセッサおよびメモリを用いて、前記選択された第２のユーザの生活習慣を表す情報を前記記憶媒体から読み出し、当該読み出された生活習慣を表す情報に基づいて前記第１のユーザの健康を支援するための支援情報を生成する過程と、
前記少なくとも１つのハードウェアプロセッサおよびメモリを用いて、前記生成された支援情報を出力する過程と
を具備する健康管理支援方法。